(57)【要約】【課題】キーの操作順序を元にした入力情報の漏洩を防止できるとともに、ユーザの操作性を向上できる携帯端末装置、キー配列設定方法及びプログラムを提供する。【解決手段】ユーザによって予め登録される、ユーザが所望するキー配列を示すキー配列登録情報を記憶する記憶手段と、キー配列登録情報に基づいて、デフォルトのキー配列からユーザが所望するキー配列へ切り替える切替制御を行う制御手段と、を有する。制御手段は、ユーザが文字情報を入力するための文字入力画面を表示する場合に切替制御を行う。【選択図】図１
2010015217.tif 000002
【特許請求の範囲】
【請求項１】
ユーザによって予め登録される、前記ユーザが所望するキー配列を示すキー配列登録情報を記憶する記憶手段と、
前記キー配列登録情報に基づいて、デフォルトのキー配列から前記ユーザが所望するキー配列へ切り替える切替制御を行う制御手段と、
を有することを特徴とする携帯端末装置。
【請求項２】
各種情報を表示する表示手段を有し、
前記制御手段は、
前記切替制御を行う場合に、前記キー配列登録情報に基づいて、前記ユーザが所望するキー配列を前記表示手段に表示することを特徴とする請求項１記載の携帯端末装置。
【請求項３】
前記制御手段は、
前記ユーザが文字情報を入力するための文字入力画面を前記表示手段に表示する場合に、前記切替制御を行うことを特徴とする請求項１又は２記載の携帯端末装置。
【請求項４】
前記制御手段は、
前記ユーザが文字情報を入力するための文字入力画面を前記表示手段に表示し、かつ、前記ユーザから前記切替制御の実行要求を受け付けた場合に、前記切替制御を行うことを特徴とする請求項１から３のいずれか１項に記載の携帯端末装置。
【請求項５】
前記制御手段は、
前記文字入力画面の表示が終了した場合に、前記ユーザが所望するキー配列を前記デフォルトのキー配列へ戻すことを特徴とする請求項３又は４記載の携帯端末装置。
【請求項６】
前記記憶手段は、
前記キー配列登録情報を複数記憶する場合、前記キー配列登録情報毎に前記ユーザが行う操作を対応付けた設定情報を記憶し、
前記制御手段は、
前記ユーザから前記切替制御の実行要求として所定の操作を受け付けた場合に、前記設定情報に基づいて前記受け付けた操作に対応するキー配列登録情報を検索し、前記検索したキー配列登録情報に基づいて前記切替制御を行うことを特徴とする請求項１から５のいずれか１項に記載の携帯端末装置。
【請求項７】
キー配列を設定するために端末装置で行われるキー配列設定方法であって、
ユーザによって予め登録される、前記ユーザが所望するキー配列を示すキー配列登録情報を記憶する記憶ステップと、
前記キー配列登録情報に基づいて、デフォルトのキー配列から前記ユーザが所望するキー配列へ切り替える切替制御ステップと、
を有することを特徴とするキー配列設定方法。
【請求項８】
前記切替制御ステップは、
前記ユーザが文字情報を入力するための文字入力画面が表示される場合に行われることを特徴とする請求項７記載のキー配列設定方法。
【請求項９】
前記切替制御ステップは、
前記ユーザが文字情報を入力するための文字入力画面が表示され、かつ、前記ユーザから前記切替制御ステップの実行要求を受け付けた場合に行われることを特徴とする請求項７又は８記載のキー配列設定方法。
【請求項１０】
端末装置のキー配列を設定するためのプログラムであって、
ユーザによって予め登録される、前記ユーザが所望するキー配列を示すキー配列登録情報を記憶する記憶処理と、
前記キー配列登録情報に基づいて、デフォルトのキー配列から前記ユーザが所望するキー配列へ切り替える切替制御処理と、
をコンピュータに実行させることを特徴とするプログラム。
【請求項１１】
前記切替制御処理を、
前記ユーザが文字情報を入力するための文字入力画面が表示される場合にコンピュータに実行させることを特徴とする請求項１０記載のプログラム。
【請求項１２】
前記切替制御処理を、
前記ユーザが文字情報を入力するための文字入力画面が表示され、かつ、前記ユーザから前記切替制御処理の実行要求を受け付けた場合にコンピュータに実行させることを特徴とする請求項１０又は１１記載のプログラム。
【発明の詳細な説明】
【技術分野】
【０００１】
本発明は、情報入力のときに使用されるキーの配列を変更する携帯端末装置、キー配列設定方法及びプログラムに関する。
【背景技術】
【０００２】
例えば携帯電話機等の携帯端末装置では、モバイル通信機能を持つものが多く、Ｗｅｂサイト上において、例えば銀行取引や株のネット取引等が行える。このようなＷｅｂサイトでは、複数の文字や記号から成る文字列である重要情報（例えば、ＩＤ、パスワード、暗証番号等）を入力してログインするものが一般的である。そして、携帯電話機のユーザ（操作者）が、公衆の場で上記重要情報を入力する場合も少なからず存在する。このような場合、上記重要情報の漏洩を防止することが重要となる。その対策例として、例えば、市販されている視野角を狭めるシートや携帯電話機の視野角制御の機能等を用いることにより、表示画面の覗き見を防ぐことは可能である。しかし、上記重要情報を入力するためのキーの操作順序を他人に見られないようにすることは難しい。入力される重要情報は、キーの操作順序を元に推測されてしまう。その理由は、現在の携帯電話機におけるキーの配列（以下、キー配列という）は、共通（例えば、図２（ａ）参照）であるためである。
【０００３】
このような問題を解決するものとして、例えば特許文献１に開示されている技術がある。特許文献１の技術では、入力操作の度にキー配列を変更する。これにより、キーの操作順序を他人に見られても、入力した重要情報を他人に推測される危険性を減らすことができる。
【特許文献１】特開２００４−１２６９７３号公報
【発明の開示】
【発明が解決しようとする課題】
【０００４】
しかしながら上記特許文献１の技術では、例えば重要情報を構成する文字が１文字入力される毎にキー配列がランダムに変わるので、ユーザは１文字入力する毎に次の文字を入力するためのキーを探すことになる。よって、ユーザにとって、入力操作自体が煩わしくなったり、操作するキーを間違ったりするという問題があり、ユーザの操作性が十分に考慮されているとは言えなかった。
【０００５】
本発明は、上記事情に鑑みてなされたものであり、キーの操作順序を元にした入力情報の漏洩を防止できるとともに、ユーザの操作性を向上できる携帯端末装置、キー配列設定方法及びプログラムを提供することを目的とする。
【課題を解決するための手段】
【０００６】
かかる目的を達成するために、本発明の携帯端末装置は、ユーザによって予め登録される、ユーザが所望するキー配列を示すキー配列登録情報を記憶する記憶手段と、キー配列登録情報に基づいて、デフォルトのキー配列からユーザが所望するキー配列へ切り替える切替制御を行う制御手段と、を有することを特徴とする。
【０００７】
本発明のキー配列設定方法は、キー配列を設定するために端末装置で行われるキー配列設定方法であって、ユーザによって予め登録される、ユーザが所望するキー配列を示すキー配列登録情報を記憶する記憶ステップと、キー配列登録情報に基づいて、デフォルトのキー配列からユーザが所望するキー配列へ切り替える切替制御ステップと、を有することを特徴とする。
【０００８】
本発明のプログラムは、端末装置のキー配列を設定するためのプログラムであって、ユーザによって予め登録される、ユーザが所望するキー配列を示すキー配列登録情報を記憶する記憶処理と、キー配列登録情報に基づいて、デフォルトのキー配列からユーザが所望するキー配列へ切り替える切替制御処理と、をコンピュータに実行させることを特徴とする。
【発明の効果】
【０００９】
本発明によれば、キーの操作順序を元にした入力情報の漏洩を防止できるとともに、ユーザの操作性を向上できる。
【発明を実施するための最良の形態】
【００１０】
以下、本発明の携帯端末装置、キー配列設定方法及びプログラムの実施形態について添付図面を参照して詳細に説明する。なお、本実施形態では、携帯端末装置の一例として、各種機能（例えば、電話機能、電子メール機能、モバイル通信機能等）を有する携帯電話機を用いて説明するが、携帯電話機に限られるものではなく、その他の携帯端末装置であってもよい。
【００１１】
まず、本実施形態の携帯電話機の構成について、図２を参照しながら説明する。図２は、本実施形態の携帯電話機のハードウェア構成を示すブロック図である。図２に示すように、本実施形態の携帯電話機は、マイク５、スピーカ６、操作部７、表示部８、ＣＰＵ１０、ＲＯＭ１１、ＲＡＭ１２、通信部１３、入力制御部１４、表示制御部１５、記憶媒体１６、バス２０を有している。
【００１２】
ＣＰＵ（Central Processing Unit）１０は、バス２０を介して、携帯電話機内の各部に接続されており、読み込んだプログラムに従って携帯電話機全体の動作を制御し、各種機能を実現する。ＣＰＵ１０は、ＲＯＭ１１からプログラムを読み込み、そのプログラムに従って携帯電話機の動作を制御する。このＣＰＵ１０は、制御手段と呼ぶことができる。
【００１３】
ＲＯＭ（Read Only Memory）１１は、各種制御用プログラム等の固定データを格納した記憶媒体である。各種制御用プログラム（アプリケーション等）は、ＣＰＵ１０によって読み込まれる。
【００１４】
ＲＡＭ（Random Access Memory）１２は、ＣＰＵ１０がＲＯＭ１１から読み込んだプログラムを実行する上で一時的に必要とされるデータを格納する作業用記憶媒体である。
【００１５】
通信部１３は、無線によって電話機能（電話の着信、発信、通話）や電子メール機能（メールの受信、送信）を行う回路である。この通信部１３には、基地局等を備える無線通信網を介した無線通信を可能とするためのアンテナを含むものとする。
【００１６】
操作部７は、ユーザが操作のときに使用するキーやボタンである。操作部７の例としては、テンキー、カーソルキー、サイドキー等が挙げられる。なお、図２（ａ）は、本実施形態に係るテンキーのキー配列を示す図である。図２（ａ）に示すテンキーは、ユーザの押下により、所定の情報が入力されるキー群である。図２（ａ）に示すように、各キートップには、押下により入力できる文字や記号が印字されている。
【００１７】
入力制御部１４は、ユーザ操作により操作部７から入力された信号（情報）を検知する回路である。また、入力制御部１４は、操作部７に対する操作を受け付けないようにするキーロック制御なども行う。
【００１８】
表示部８は、例えば文字や画像などの各種情報を表示する装置である。表示部８の例としては、液晶ディスプレイ等が挙げられる。この表示部８は、表示手段と呼ぶことができる。
【００１９】
表示制御部１５は、表示部８における表示動作全般の制御を行う回路である。例として、表示制御部１５は表示画面や表示情報を切り替える制御などを行う。
【００２０】
スピーカ６は、電話機能における通話相手の音声が出力される受話部である。マイク５は、電話機能における通話相手に対する自分の音声を入力するための送話部である。なお、送話部及び受話部としてのマイク５及びスピーカ６とは別に、マイクやスピーカを筐体に設けるようにしてもよい。
【００２１】
記憶媒体１６は、ユーザによって入力される各種データを記憶する記憶媒体である。各種データの例としては、アドレスデータ（氏名、電話番号、電子メールアドレス等）や未送信の電子メール、各種機能におけるユーザ設定を示す設定情報（例えば、後述するキー配列登録情報）などが挙げられる。この記憶媒体１６は、記憶手段と呼ぶことができる。
【００２２】
バス２０は、図２に示す各部間でやり取りされるデータ（例えば、各種情報や各種信号など）の経路である。
【００２３】
次に、以上のように構成された本実施形態の携帯電話機の動作（本発明のキー配列設定方法の一実施形態）について、図面を参照しながら説明する。本実施形態の携帯電話機の動作としては、ユーザが所望のキー配列を予め登録する動作（登録動作）と、デフォルトのキー配列から予め登録されたキー配列に切り替える動作（切替動作）とがある。図３は登録動作を示すフローチャートであり、図４は切替動作を示すフローチャートである。図２（ａ）は本実施形態の携帯電話機における切替前のキー配列（デフォルトのキー配列）を示す図であり、図２（ｂ）は、本実施形態の携帯電話機における切替後のキー配列（予め登録されたキー配列）の例を示す図である。以下の説明では、図２（ｂ）に示すキー配列を予め登録し、図２（ａ）に示すキー配列から図２（ｂ）に示すキー配列に切り替える場合を例とする。
【００２４】
まず図２、図３を参照しながら、登録動作について説明する。
携帯電話機のユーザは、キー配列の登録を開始する場合、操作部７の所定キーを操作して、キー配列の登録要求を行う。ＣＰＵ１０は、入力制御部１４を介してこの要求を受けると、ＲＯＭ１１に格納されているキー配列登録プログラムを読み込み、登録動作を開始する（ステップＳ１）。この登録動作は、例として、図２（ａ）のテンキーにおいて、『１  あ』キーから数字の順に『９  ら  ＷＸＹＺ』キーまで行われるとする。
【００２５】
ＣＰＵ１０は、表示制御部１５を介して表示部８に、例えば「『１  あ』キーに登録したいキーを押して下さい」という、ユーザに選択を促すメッセージを表示させる（ステップＳ２）。すなわち、ここでは、デフォルトの『１  あ』キーの位置に割り当てたいキーをユーザに選択させる。
【００２６】
ユーザは、表示部８のメッセージを見て、デフォルトの『１  あ』キーに登録したい所望のキーを選択する。ここでは、例として、ユーザにより『７  ま  ＰＱＲＳ』キーが選択され、押下されるとする（ステップＳ３）。
【００２７】
ＣＰＵ１０は、入力制御部１４を介して『７  ま  ＰＱＲＳ』キーを示す情報を受けると、記憶媒体１６を参照して、『７  ま  ＰＱＲＳ』キーが登録済みか否かを判断する（ステップＳ４）。なお、一のキーの登録が済む毎に、記憶媒体１６には、デフォルトのキーを示す情報（例えば、『１  あ』キー）と、そのデフォルトのキーの位置に割り当てられて登録されたキーを示す情報（例えば、『７  ま  ＰＱＲＳ』キー）とが対応付けられて、キー配列登録情報として記憶される。このようにステップＳ４の判断を行うことにより、同一のキーが複数のデフォルトのキーに割り当てられて登録されることを防ぐことができる。
【００２８】
ここでは、『７  ま  ＰＱＲＳ』キーはどのデフォルトのキーにも登録されていないので、ＣＰＵ１０は、『７  ま  ＰＱＲＳ』キーを未登録と判断し（ステップＳ４／ＮＯ）、ステップＳ５へ進む。
【００２９】
そして、ＣＰＵ１０は、上述したように、『１  あ』キーを示す情報と、『７  ま  ＰＱＲＳ』キーを示す情報とを対応付けて、キー配列登録情報として記憶媒体１６に格納する（ステップＳ５）。このようにして、『１  あ』キーへの登録が終了する。
【００３０】
次に、ＣＰＵ１０は、全てのテンキーの登録が終了したか否かを判断する（ステップＳ６）。ここでは、『１  あ』キーの登録が終了しただけであるので、ＣＰＵ１０は、未登録のデフォルトのキーがあると判断し（ステップＳ６／ＮＯ）、ステップＳ２へ戻る。
【００３１】
ＣＰＵ１０は、表示制御部１５を介して表示部８に、例えば「『２  か  ＡＢＣ』キーに登録したいキーを押して下さい」という、ユーザに選択を促すメッセージを表示させる（ステップＳ２）。
【００３２】
ユーザは、表示部８のメッセージを見て、デフォルトの『２  か  ＡＢＣ』キーに登録したい所望のキーを選択する。ここで、例として、ユーザにより『７  ま  ＰＱＲＳ』キーが選択され、押下されるとする（ステップＳ３）。
【００３３】
ＣＰＵ１０は、入力制御部１４を介して『７  ま  ＰＱＲＳ』キーを示す情報を受けると、記憶媒体１６を参照して、『７  ま  ＰＱＲＳ』キーが登録済みか否かを判断する（ステップＳ４）。上述したように、『７  ま  ＰＱＲＳ』キーは既に『１  あ』キーに登録済みであるので、ＣＰＵ１０は、『７  ま  ＰＱＲＳ』キーを既登録と判断し（ステップＳ４／ＹＥＳ）、ステップＳ７へ進む。
【００３４】
ＣＰＵ１０は、表示制御部１５を介して表示部８に、例えば「『７  ま  ＰＱＲＳ』キーは登録済みです」という、ユーザに既登録である旨を通知するメッセージを表示させる（ステップＳ７）。そして、ステップＳ２へ戻り、ＣＰＵ１０は、再び表示制御部１５を介して表示部８に、例えば「『２  か  ＡＢＣ』キーに登録したいキーを押して下さい」という、ユーザに選択を促すメッセージを表示させる（ステップＳ２）。
【００３５】
ユーザは、既登録の『７  ま  ＰＱＲＳ』キー以外のキー、例えば『８  や  ＴＵＶ』キーを選択し、押下する。ＣＰＵ１０は、入力制御部１４を介して『８  や  ＴＵＶ』キーを示す情報を受けると、記憶媒体１６を参照して、『８  や  ＴＵＶ』キーが登録済みか否かを判断する（ステップＳ４）。ＣＰＵ１０は、『８  や  ＴＵＶ』キーを未登録と判断し（ステップＳ４／ＮＯ）、『２  か  ＡＢＣ』キーの位置を示す情報と、『８  や  ＴＵＶ』キーを示す情報とを対応付けて、キー配列登録情報として記憶媒体１６に格納する（ステップＳ５）。このようにして、『２  か  ＡＢＣ』キーへの登録が終了する。
【００３６】
ＣＰＵ１０は、以上のような各ステップの動作を繰り返し、『９  ら  ＷＸＹＺ』キーまでの登録が終了したら（ステップＳ６／ＹＥＳ）、一連の登録動作を終了する。
【００３７】
このように図３に示す登録動作において全てのキーの登録が終了した時点で、記憶媒体１６には、ユーザが所望するキー配列を示す情報として、図２（ｂ）のキー配列を示すキー配列登録情報が記憶されることになる。
【００３８】
なお、上記一連の登録動作を複数回行うことによって、複数パターンのキー配列を登録できるようにしてもよい。これにより、ユーザは、シーンによってキー配列を使い分けることができる。
【００３９】
次に図２、図４を参照しながら、切替動作について説明する。
この切替動作は、ユーザが実際にキーを使用して所定の文字情報（例えば、ＩＤ、パスワード、暗証番号等の重要情報）を入力するときに、上記登録動作により予め登録されたキー配列に切り替える（変更する）動作である。以下の説明では、例として、予めキー配列の登録を行ったユーザが、モバイル通信機能により所定のＷｅｂサイトへログインするために、パスワードを入力する場合とする。
【００４０】
携帯電話機のユーザは、操作部７の所定キーを操作して所望のＷｅｂサイトへの接続要求を行う。ＣＰＵ１０は、入力制御部１４を介してこの要求を受けると、通信部１３を介して要求されたＷｅｂサイト（サーバ）との通信を開始する。そして、Ｗｅｂサイトからログイン用のパスワード入力画面を通信部１３を介して受信すると、ＣＰＵ１０は、表示制御部１５を介して表示部８にパスワード入力画面（文字入力画面の一例）を表示させる（ステップＳ１１）。そして、ＣＰＵ１０は、ＲＯＭ１１に格納されているキー配列切替プログラムを読み込み、切替動作を開始する
【００４１】
まずＣＰＵ１０は、ユーザ操作による予め登録されたキー配列への切替要求を、入力制御部１４を介して受け付けたかどうかを判断する（ステップＳ１２）。ユーザは、登録済みのキー配列へ切り替えたい場合、所定の操作（例えば、サイドキーを１秒間に５回押下する等）を行う。
【００４２】
切替要求が無い場合（ステップＳ１２／ＮＯ）、ＣＰＵ１０は、予め登録されたキー配列への切替を行わずに、図２（ａ）に示すデフォルトのキー配列でパスワードの入力を受け付ける。
【００４３】
切替要求が有った場合（ステップＳ１２／ＹＥＳ）、ＣＰＵ１０は、記憶媒体１６からキー配列登録情報を読み込む。そして、ＣＰＵ１０は、読み込んだキー配列登録情報に基づいて、図２（ａ）に示すデフォルトのキー配列から、図２（ｂ）に示す予め登録されたキー配列へと切り替える。すなわち、ＣＰＵ１０は、図２（ｂ）に示すキー配列でパスワードの入力を受け付ける。なお、この切替のとき、ＣＰＵ１０は、表示制御部１５を介して表示部８に、図２（ｂ）のキー配列を表示させるようにしてもよい。
【００４４】
その後、ユーザ操作により、パスワード入力画面から別の画面（文字入力画面ではない画面）に遷移した場合やモバイル通信機能自体を終了した場合、ＣＰＵ１０は、図２（ｂ）に示す予め登録されたキー配列を、図２（ａ）に示すデフォルトのキー配列へ戻す。
【００４５】
なお、上記説明において、ユーザからの切替要求が有った場合に切替を行うようにしたが、予めキー配列が登録されているときに文字入力画面を表示する場合は、ＣＰＵ１０が自動で予め登録されたキー配置へ切り替えるようにしてもよい。すなわち、図４ではステップＳ１２がなくなる。
【００４６】
また、上記説明において、複数パターンのキー配列が予め登録されている場合、ユーザが、切替要求のときの操作別に、所望のキー配列を選択できるようにしてもよい。例として、パターンＡ、パターンＢ、パターンＣの３つのパターンのキー配列が予め登録されている場合について説明する。この場合、例えば、パターンＡに切り替えるときはサイドキーを１秒間に１回押下、パターンＢに切り替えるときはサイドキーを１秒間に３回押下、パターンＣに切り替えるときはサイドキーを１秒間に５回押下というように、設定情報として、操作の種類別に各パターンが対応付けられて記憶媒体１６に設定されているとする。そして、例えばユーザがパターンＢのキー配列に切り替えたい場合、文字入力画面が表示された後にサイドキーを１秒間に３回押下する。ＣＰＵ１０は、入力制御部１４を介してこの操作を受け付けると、記憶媒体１６に記憶されている設定情報に基づいて、受け付けた操作に対応するパターンのキー配列登録情報を検索する。ここでは、ＣＰＵ１０は、パターンＢのキー配列登録情報を検索することになる。ＣＰＵ１０は、検索したパターンＢのキー配列登録情報に基づいて、パターンＢのキー配列へ切り替える。
【００４７】
本実施形態では、テンキーのキー配列を登録・切替の対象としたが、その他のキーを登録・切替の対象としてもよい。また、本実施形態では、例として、テンキーを筐体に固定されたハードウェアとして備えた携帯電話機について説明したが、上記登録・切替は、タッチパネル方式の携帯電話機のキー配列にも適用できる。
【００４８】
以上説明したように、本発明の実施形態によれば、ユーザは、予め所望のキー配列を登録しておき、文字入力のときには予め登録しておいたキー配列に切り替えて入力することができる。よって、本実施形態によれば、キーの操作順序を元にした入力情報の漏洩を防止できるとともに、ユーザの操作性を向上できる。
【００４９】
以上、本発明の実施形態について説明したが、上記実施形態に限定されるものではなく、その要旨を逸脱しない範囲において種々の変形が可能である。
【００５０】
例えば、上述した各実施形態における動作（各フローチャートに示す動作）は、ハードウェア、または、ソフトウェア、あるいは、両者の複合構成によって実行することも可能である。
【００５１】
ソフトウェアによる処理を実行する場合には、処理シーケンスを記録したプログラムを、専用のハードウェアに組み込まれているコンピュータ内のメモリにインストールして実行させてもよい。あるいは、各種処理が実行可能な汎用コンピュータにプログラムをインストールして実行させてもよい。
【００５２】
例えば、プログラムは、記録媒体としてのハードディスクやＲＯＭ（Read Only Memory）に予め記録しておくことが可能である。あるいは、プログラムは、ＣＤ−ＲＯＭ(Compact Disc Read Only Memory)，ＭＯ(Magneto optical)ディスク，ＤＶＤ(Digital Versatile Disc)、磁気ディスク、半導体メモリなどのリムーバブル記録媒体に、一時的、あるいは、永続的に格納（記録）しておくことが可能である。このようなリムーバブル記録媒体は、いわゆるパッケージソフトウエアとして提供することが可能である。
【００５３】
なお、プログラムは、上述したようなリムーバブル記録媒体からコンピュータにインストールする他、ダウンロードサイトから、コンピュータに無線転送してもよい。または、ＬＡＮ(Local Area Network)、インターネットといったネットワークを介して、コンピュータに有線で転送してもよい。コンピュータでは、転送されてきたプログラムを受信し、内蔵するハードディスク等の記録媒体にインストールすることが可能である。
【００５４】
また、上記実施形態で説明した処理動作に従って時系列的に実行されるのみならず、処理を実行する装置の処理能力、あるいは、必要に応じて並列的にあるいは個別に実行するように構築することも可能である。
【産業上の利用可能性】
【００５５】
本発明は、複数のキー（ボタン）を備えた装置・機器、システム等に適用できる。
【図面の簡単な説明】
【００５６】
【図１】本発明の実施形態に係る携帯端末装置の構成を示すブロック図である。
【図２】本発明の実施形態に係る携帯端末装置のキー配列の例を示す図である。
【図３】本発明の実施形態に係る携帯端末装置の登録動作を示すフローチャートである。
【図４】本発明の実施形態に係る携帯端末装置の切替動作を示すフローチャートである。
【符号の説明】
【００５７】
１    上側筐体
２    下側筐体
３    ヒンジ
５    マイク
６    スピーカ
７    操作部
８    表示部
１０    ＣＰＵ
１１    ＲＯＭ
１２    ＲＡＭ
１３    通信部
１４    入力制御部
１５    表示制御部
１６    記憶媒体
２０    バス
【図１】
2010015217.tif 000003
【図２】
2010015217.tif 000004
【図３】
2010015217.tif 000005
【図４】
2010015217.tif 000006